(57)【特許請求の範囲】
【請求項１】
透明樹脂シート上に紫外線硬化樹脂層が積層された樹脂シートであって、前記紫外線硬化樹脂層の透明樹脂側の反対面に、線溝の深さが２０ｎｍ〜５μｍの複数の線で描かれた線画紋様である精細な装飾紋様が形成され、前記透明樹脂シートの紫外線硬化樹脂層側又はその反対側の面にシルク印刷にて文字、数字を透明印刷したことを特徴とする精細な装飾紋様を有する樹脂シート。
【請求項２】
透明樹脂シート上に紫外線硬化樹脂層が積層された樹脂シートであって、前記紫外線硬化樹脂層の透明樹脂側の反対面に、線溝の深さが２０ｎｍ〜５μｍの複数の線で描かれた線画紋様である精細な装飾紋様が形成され、前記透明樹脂シートの紫外線硬化樹脂層側又はその反対側の面に金属蒸着を施し、レーザ光により部分的に金属蒸着膜を除去し、文字、数字を透明加工したことを特徴とする精細な装飾紋様を有する樹脂シート。
【発明の詳細な説明】
【技術分野】
【０００１】
本発明は、精細な装飾紋様を有する樹脂シート及びその製造方法に関する。精細な紋様を有する樹脂シートは、その外観が美観を起こさせるものであり、デザイン性を拡張し、商品価値やその利用価値を高めるものである。精細な装飾紋様を有する樹脂シートは、例えば、自動車計器板、電気・電子機器等の表示板、電気・電子機器等の筐体、時計の表示板、広告看板等に好適に使用することができるものである。
【背景技術】
【０００２】
例えば、計器板、表示板、機器の筐体、広告看板等に使用される樹脂シートは、精細な装飾紋様を形成して、その美観を高めることが考えられている。ここで樹脂シートなる語は、いわゆる板状のものからフィルム状のものを含めた広い意味に使用している。通常シートとフィルムとはその厚さで区別される。一般的には、０．２ｍｍ以上をシート、０．２ｍｍ以下をフィルムと呼ばれている（高分子学会編  プラスチック加工の基礎  １９８２年）。また、精細な装飾紋様というのは、例えば、木目紋様、文字模様、スピン紋様やヘアライン紋様を含む線画紋様等の細かな装飾用の紋様、模様のことであり、特に、紋様を構成する線や要素の間隔が５ｍｍよりも狭い木目細かい紋様を意味する。このような精細な装飾紋様は、金属等からなるシート素材の場合には、機械加工により、容易かつ工業規模で装飾紋様を形成することができる。しかしながら、樹脂シートに、精細な装飾紋様を機械的加工により形成することは基本的に困難である。【０００３】
装飾紋様を施すには、通常、機械的加工が適用される。即ち、ドリルの先端に円形状の砥石を固定して、ドリルを高速に回転させ、ドリルに装着された砥石を高速回転させながら、砥石を板、シートに一定の圧力で押し付けることにより、板、シートの表面上に、精細な装飾紋様を形成する方法が取られる。事実、金属シートに機械的加工を適用し装飾紋様を形成することは、通常行われているものである。しかしながら、樹脂シートにこの方法を適用した場合、砥石により削り取られたヒゲ状の削りかすが残存するという問題がある。このヒゲ状削りかすは、除去するのに実際上多大な労力を必要とし、簡単な操作では除去できない。また、機械的加工では、樹脂シートの透明性が失われるという問題もある。透明性を失うと、印刷した場合、色の再現性が劣るという問題が起こる。【０００４】
模様を彫った金型を使用し、射出成形又は押出成形等により、模様が形成された樹脂板を得る方法が知られている（例えば、特開２００３−１７０５号公報）。しかし、この方法では、木目細かい紋様の場合は、紋様を正確に樹脂に付与できないという問題がある。成形時の樹脂の粘度が比較的高いため、木目細かい紋様を付与するには、射出成形又は押出成形等の方法は適しないとされている。また、金型の製作費が一般的に高くつくという問題もある。従って、射出成形又は押出成形等は、限られた簡単な模様を形成する場合に適用されている。更に、射出成形又は押出成形等により模様を形成した樹脂表面は、ハードコートされてないので、形成された紋様が傷が付きやすいという問題がある。【０００５】
また、ガラス基板上に凹凸を予め形成し、この上に紫外線硬化塗料及びポリカーボネートなどの樹脂板を積層し、ガラス面又は樹脂面から紫外線を照射し、ガラス基板上の凹凸を紫外線硬化塗料に転写する方法がある（特開平８−９９３２７号公報）。しかしながら、簡単な凹凸については転写可能であるが、ガラスに精細な装飾紋様を形成することが困難であるため、精細な装飾紋様を形成したい場合にはガラスを基板に用いる方法は適用できない。更に、ガラス基板を使用する場合には、紫外線硬化塗料を硬化させた後、樹脂板を剥離する際などに、ガラス基板が割れるという問題もある。【０００６】
更に、（ａ）樹脂基材の一方の面に紫外線硬化型樹脂層を塗布する工程、（ｂ）フィルム基材上に転写シートを作製する工程と、（ｃ）上記工程（ａ）で作製された紫外線硬化型樹脂層と上記工程（ｂ）で作製された転写シートとを加えて重ね合わせ、前記転写シート側から、紫外線を照射して、前記樹脂層を硬化せしめると同時に該樹脂層を介して樹脂板と転写シートを積層する工程と、（ｄ）前記転写シートを剥離する工程から製造されるディスプレイ等の光学部材の前面に使用される、反射防止、防汚、帯電防止効果を有する樹脂板の製造方法が特開２０００−１５８５９９号公報に記載されている。しかしながら、この方法は、光の反射を促進する凹凸を、フィルム面から転写するもので、精細な装飾紋様を転写するものでなない。先に述べた様に、樹脂シートに精細な装飾紋様を形成することは極めて困難であり、公知の方法では、精細な装飾紋様を樹脂シートに形成することは極めて困難である。【０００７】
【特許文献１】特開２００３−１７０５号公報
【特許文献２】特開平８−９９３２７号公報
【特許文献３】特開２０００−１５８５９９号公報
【発明の開示】
【発明が解決しようとする課題】
【０００８】
本発明は、上記の状況に鑑みてなされたもので、木目紋様、文字模様、スピン紋様やヘアライン紋様を含む線画紋様等の精細な装飾紋様を形成した樹脂シート及び装飾紋様を有する樹脂シートを容易に製造する方法を提供するものである。精細な装飾紋様を形成した樹脂シートは、例えば、計器板、表示板、各種機器の筐体、広告看板等、なかでも、自動車計器板、電気・電子機器等の表示板、電気・電子機器等の筐体、時計の表示板、広告看板等において、デザイン性を拡張し、商品価値やその利用価値を高める効果を奏するものである。従来、装飾紋様を形成するには機械的加工に依存するため、樹脂シートの場合、削り取られたヒゲ状の削りかすが残存し、この削りかすを除去するのに多大の労力を要するので、精細な装飾紋様を樹脂シートに形成することは極めて困難であった。
【課題を解決するための手段】
【０００９】
本発明は、精細な装飾紋様を有する樹脂シートである。精細な装飾紋様を有する樹脂シートは、透明樹脂シート上に三次元硬化樹脂層が積層された樹脂シートであって、三次元硬化樹脂層に精細な装飾紋様が形成されたものである。精細な紋様としては、具体的には、木目紋様、文字模様や複数の線で描かれた線画紋様等を挙げることができる。線画紋様は、線で描かれた複数の相似な図形から構成されるものが好適に用いることができる。前記相似な図形の基本形は、円形、楕円形、三角形、四角形、五角形、多角形、星形等の閉じた線画形状のなかから選択することができる。そして、三角形、四角形、五角形、多角形、星形等の閉じた線画形状において、各辺が直線、外向き円弧又は内向き円弧で描かれた線画とすることができる。また、線画紋様は、スピン紋様、ヘアライン紋様であってもよい。更に、線画紋様に於いて、線溝深さが２０ｎｍ〜５μｍの複数の線で描かれた微細な線画紋様が好ましい。【００１０】
三次元硬化樹脂層は、三次元硬化塗料を紫外線照射、放射線等の励起線によって硬化させたもの又は熱により硬化させたものである。なかでも、紫外線によって硬化された紫外線硬化樹脂が好適に使用することができる。また、透明樹脂シートとしては、アクリルシート、ポリカーボネートシート、ポリエステルシート、ポリスチレンシートから選択されたものを好適に使用することができる。【００１１】
精細な装飾紋様を付した樹脂シートの透明樹脂シート面にシルク印刷にて文字、数字等を透明印刷することができ、更に、同様に透明樹脂シート面にシルク印刷にて着色することができるし、文字、数字等の透明印刷をした上に、シルク印刷にて着色することができる。また、透明樹脂シート面に金属蒸着を施し、レーザ光により部分的に金属蒸着膜を除去し、文字、数字等を透明加工することができる。この際、透明印刷又は透明加工した面又は透明加工していない面上に三次元硬化樹脂層を積層することができる。【００１２】
以上は、精細な装飾紋様を付した樹脂シートの透明樹脂シート面に透明印刷を施したものであるが、三次元硬化樹脂層面にも透明印刷を施すことができる。即ち、三次元硬化樹脂層面に銀及び／又は金のミラーインクでシルク印刷にて文字、数字等を透明印刷した精細な装飾紋様を有する樹脂シートである。そして、三次元硬化樹脂層面に銀及び／又は金のミラーインクでシルク印刷にて文字、数字等を透明印刷した後更に、透明樹脂シート面にハードコートすることができる。これは、透明樹脂シート面が表面となり透明樹脂シート面が傷つきやすくなるので、透明樹脂シート面をハードコートして、透明樹脂シート面を保護するものである。ハードコートは、三次元硬化塗料を塗布し、塗料を硬化させることにより行うことができる。【００１３】
以上は、透明樹脂シート上に三次元硬化樹脂層を形成した後に透明印刷、着色を施すものであるが、透明樹脂シート上に三次元硬化樹脂層を形成する前に、透明樹脂シートに印刷、着色し、しかる後に、三次元硬化樹脂層を形成することもできる。即ち、透明樹脂シート面にシルク印刷にて文字、数字等を透明印刷し、透明印刷した面又は透明印刷していない面上に三次元硬化樹脂層を形成するものである。透明樹脂シートに前もって透明印刷を施した後、三次元硬化樹脂層を形成する場合、三次元硬化樹脂層は、透明印刷を施した面に形成してもよいし、透明印刷を施していない面に形成してもよい。この透明樹脂シート面に更にシルク印刷にて着色を施すこともできる。着色する面は、透明印刷を施した面が好ましいが、それに限られるものではない。【００１４】
このように精細な装飾紋様を付した樹脂シートは、計器板や表示板として広く使用することができる。この精細な装飾紋様を付した樹脂シートを計器板や表示板として使用する場合、記計器板、表示板はその裏面、即ち、装飾紋様を有する樹脂シートの裏面から光を当てて読み取り可能として、使用することができる。【００１５】
計器板、表示板は、特に、自動二輪車、自動車、電気・電子機器等に搭載の計器板、表示板として使用するのがよい。また、この精細な装飾紋様を付した樹脂シートは、電気・電子機器等の筐体、時計の表示板、広告看板等に使用することができる。更に、電気・電子機器等として携帯電話機に好適に使用することができる。【００１６】
本発明の精細な装飾紋様を有する樹脂シートは、精細な装飾紋様を施した金属板、三次元硬化塗料及び透明樹脂シートをこの順序に重ねて、透明樹脂シート面から紫外線や放射線等の励起線を照射するか又は加熱することにより、該三次元硬化塗料を硬化し、その後、金属板から剥離することにより製造することができる。この際、透明樹脂シートとして、アクリルシート、ポリカーボネートシート、ポリエステルシート、ポリスチレンシート等から選択される一種を使用することができる。また、精細な装飾紋様を付す金属板としては、アルミニウム板、銅板、ステンレススチール板、鉄板から選択される一種を使用することができる。更に、精細な装飾紋様を形成する三次元硬化塗料としては、特に、紫外線硬化塗料が好適に使用され、紫外線硬化塗料としては、ウレタンアクリレート系オリゴマー（樹脂）及びアクリレート系モノマーを含むものが好適に使用することができる。【００１７】
アルミニウム板、銅板、ステンレス板等の金属板に、まず、機械加工によりスピン紋様等の精細な装飾紋様を付す。本発明の基本は、精細な装飾紋様を付したこの金属板を原版として使用し、精細な装飾紋様を樹脂シートに転写し、精細な装飾紋様を有する樹脂シートを得るものである。即ち、機械加工によりスピン紋様等の精細な装飾紋様を付した金属板の表面に、三次元硬化塗料を塗布し、更に、塗布した三次元硬化塗料の上に、透明な樹脂シートを重ね合わせ積層する。透明な樹脂シート側より、紫外線や放射線等の励起線を照射し、又は、加熱することにより三次元硬化塗料を硬化させる。三次元硬化塗料が硬化する際に、金属板上の精細な装飾紋様が三次元硬化樹脂層（三次元硬化塗料が硬化されたもの）に転写される。硬化した樹脂は、金属板には接着せず、透明樹脂シートに接着する。三次元硬化塗料が硬化した後に、樹脂シートを金属板から剥離する。硬化した三次元硬化樹脂層は、金属板には接着せず、透明樹脂シートに接着しているので、精細な装飾紋様を形成した三次元硬化樹脂層は、透明樹脂シートに接着した状態で金属板から剥離する。このようにして、精細な装飾紋様を有する樹脂シートを得ることができる。
【発明の効果】
【００１８】
従来、樹脂シートにスピン紋様等の精細な装飾紋様を形成せせることは困難であったが、本発明は、この問題を解決して、樹脂シートに精細な装飾紋様を形成することができ、その上、樹脂シートの表面硬度を上げ、もってキズ防止を同時に実現するものである。即ち、三次元硬化した樹脂に、装飾紋様を形成するともに、樹脂シート表面のキズ防止にも役立つものである。三次元硬化した樹脂は、所謂ハードコートの役目を果たすものともなっている。このようにして、本発明は、スピン紋様等の精細な装飾紋様を形成した樹脂シートであって、各種計器板、表示板、電気・電子機器等の筐体、時計の表示板、広告看板等のデザイン性を拡張し商品価値やその利用価値を高める効果を奏するものである。更に、精細な装飾紋様を形成した樹脂シート面に、シルク印刷することにより、例えば、文字、数字等を透明印刷、即ち、字、数字は透明で、これ以外の部分を、例えば、黒色、銀色、金色等で着色することにより、表示板のデザイン性の拡張、商品価値やその利用価値を高める効果がある。また、スクリーン印刷により、装飾紋様を形成した樹脂シートに、各種の色を着色することにより、デザイン性を更に拡張し、商品価値やその利用価値を更に高めることができる。尚、樹脂シートに着色する色は、黒色、銀色、金色に限られるものではない。適宜、色を選択することができることは言うまでもない。
【発明を実施するための最良の形態】
【００１９】
以下、本発明を実施形態に基づいて説明する。本発明は、これに限定されるものではない。まず、アルミニウム板、銅板、ステンレススチール板、鉄板等の金属板に樹脂シートに転写したい精細な装飾紋様を形成する。即ち、例えば、アルミニウム板の表面にマシン油を全面に塗布して、ドリルの先端に円形状の砥石を固定、ドリルに装着した砥石を高速回転させながら、アルミニウム板の表面上に一定の圧力で砥石を押し付ける。砥石が押し付けられた部分のみ、例えば、微細な曲線状のスピン紋様が形成される。多数の紋様を形成するには、アルミニウム板をスライドさせ、アルミニウム板の全面に多数のスピン紋様を形成させる。銅板、ステンレススチール板、鉄板等の他の金属板にも装飾紋様を形成しうることは言うまでもない。このように精細な装飾紋様を付した金属板を使用し、樹脂シートに転写して得られた精細な装飾紋様を形成した樹脂シートの構成例を図１に示した。図１は側面図と平面図を示している。側面図から明らかなように、本発明の樹脂シートは、透明樹脂シート２の上に形成された三次元硬化樹脂層３とから構成され、その三次元硬化樹脂層の表面に精細な装飾紋様７が付与されている。図１においては、三次元硬化樹脂層の表面にスピン紋様が描かれている。【００２０】
精細な紋様の例として、図４にスピン紋様を、図５にヘアライン紋様を、図６に文字紋様を及び図７に木目紋様を示した。線画紋様は、複数の線で描かれた紋様である。従来代表的なものとして、スピン紋様（図４参照）やヘアライン紋様（図５参照）がある。本発明においては、スピン紋様やヘアライン紋様以外の線画紋様も形成することができる。なかでも、複数の線で描かれた相似な図形からなる線画紋様が好適に形成することができる。この複数の相似な図形からなる線画紋様は、その相似な図形の基本形が、例えば、円形、楕円形、三角形、四角形、五角形、多角形、星形等の閉じた線画形状であるものが好ましい。そして、これら三角形、四角形、五角形、多角形、星形等の閉じた線画形状において、各辺が直線、外向き円弧又は内向き円弧で描かれた線画とすることができる。【００２１】
例えば、１２角形で例示的に説明する。図１１に、１２角形における各辺を直線で描いた線画紋様の例を示した。この場合の１２角形は、通常の１２角形である。図１２には、１２角形における各辺を外向き円弧で描いた線画紋様の例を示した。各辺は１２角形の外側に向かって膨らんだ曲線、即ち、外向き円弧で描いたものとなっている。図１３には、１２角形における各辺を内向き円弧で描いた線画紋様の例を示した。各辺は１２角形の内側に向かって膨らんだ曲線、即ち、内向き円弧で描いたものとなっている。図１１〜１３には１２角形の例を示したが、他の形状、三角形、四角形、五角形、多角形、星形等においても同様である。【００２２】
本発明の線画紋様においては、微細な線画紋様を描くために、線画紋様における線溝深さを２０ｎｍ〜５μｍとするのが好ましい。特に、線溝深さを２０ｎｍ〜５μｍで描く線画紋様は、押出成形や射出成形等では実現困難なものであり、本発明により初めて実現できるものである。【００２３】
本発明の精細な紋様を付した樹脂シートは、様々な用途に利用することができる。計器板、表示板等に好適に使用することができる。特に、自動二輪車、自動車、電気・電子機器等に搭載された計器板、表示板に好適に使用することができる。本発明の精細な装飾紋様を付した樹脂シートを自動車計器板に使用した例を図８〜図１０に示した。図８ではスピン紋様、図９はヘアライン紋様、図１０は木目紋様である。また、電気・電子機器等の筐体、時計の表示板、広告看板等にも使用することができる。電気・電子機器の例として携帯電話機の筐体に使用した例を図１４、図１７に示した。更に、図１１〜１３に示した１２角形の線画紋様は、時計の表示板に好適に使用できるものである。ロゴマークの表示にも、例えば、図１８に示したように、使用することができる。【００２４】
先に述べたように、本発明の精細な紋様を付した樹脂シートは、各種計器板、表示板等に好適に使用することができる。これら計器板、表示板として使用する場合には、樹脂シートに文字、数字等を印刷し、更には、着色するのが効果的である。即ち、本発明の樹脂シートの裏面、即ち、透明樹脂シート、三次元硬化樹脂層の面にシルク印刷にて文字、数字等を透明印刷する。そして、必要に応じて、透明樹脂シート面にシルク印刷にて着色する。透明印刷は、字、数字は透明で、これ以外の部分を、例えば、黒色、銀色等で着色することである。この透明印刷により、表示板のデザイン性の拡張、商品価値やその利用価値の高揚に効果がある。また、スクリーン印刷により、装飾紋様を形成した樹脂シートの透明樹脂シート面に、各種の色を着色することにより、更に、表示板のデザイン性の拡張、商品価値やその利用価値を高めることができる。尚、樹脂シートに着色する色は、黒色、銀色に限られるものではなく、適宜、赤色、青色、黄色やその他の色を選択することができる。【００２５】
精細な装飾紋様を有する樹脂シートに透明印刷、印刷を施すには、種々の方法がある。それらを以下に説明する。その一は、透明樹脂シート上に三次元硬化樹脂層を積層した樹脂シートにおいて、透明樹脂シートの面に透明印刷や着色を施す方法である。この方法は、出来上がった樹脂シートの透明樹脂シート面にスクリーン印刷で透明印刷や着色を施すものである。これは、簡単な方法で、最も一般的な方法である。【００２６】
その二は、透明樹脂シート上に三次元硬化樹脂層を積層した樹脂シートにおいて、三次元硬化樹脂層面に透明印刷を施す方法である。この場合、透明印刷に使用するインクは、銀及び／又は金のミラーインクである。ミラーインク以外のインクで透明印刷又は着色した場合は、三次元硬化樹脂層に形成した精細な装飾紋様が印刷インクにより見えなくなるので好ましくない。また、三次元硬化樹脂層に透明印刷を施した場合は、透明樹脂シート面を表面（おもてめん）として使用することになる。即ち、例えば、計器板等の文字等を透明樹脂シートの面から見ることになる。これに対して、一般的な方法として精細な装飾紋様を有する樹脂シートの透明樹脂シート面に透明印刷、着色を施した場合は、例えば、計器板等の文字等を三次元硬化樹脂層面から見ることになる。この場合は、透明樹脂シート面が表面（おもてめん）となり、表面が傷つきやすいので、透明樹脂シートの面にハードコートを施し表面を保護するのが好ましい。ハードコートは、先に述べたように、三次元硬化塗料を塗布し、塗料を硬化させることにより施すことができる。【００２７】
その三は、あらかじめ透明樹脂シートの面に透明印刷、着色を施し、その上で、この透明樹脂シートの上に三次元硬化樹脂層を積層させる方法である。即ち、透明樹脂シート面にシルク印刷にて文字、数字等を透明印刷し、透明印刷した面又は透明印刷していない面上に三次元硬化樹脂層を積層させる方法である。三次元硬化樹脂層を積層させるのは、透明印刷を施した面でもよいし、透明印刷を施していない面でもよい。透明印刷に加えて、着色も施すことができる。着色する面は、透明印刷を施した面が好ましいが、それに限られるものではない。【００２８】
シルク印刷の代わりに、透明シートの裏面に金属蒸着を施すこともできる。金属蒸着により、装飾模様が形成されたチタン色調やステンレス色調の外観が得られる。この場合は、シルク印刷とは異なり、文字、数字等を透明にすることは困難である。文字、数字等を透明にするために、金属蒸着後にレーザ加工等により、文字、数字等を透明加工する。即ち、文字や数字等が透明になるように、文字や数字等の部分にレーザ光を当てて、蒸着された金属膜を除去するのである。その結果、文字や数字が透明加工される。【００２９】
計器板や表示板に於いては、透明樹脂シート面に文字、数字を透明印刷し、適宜着色し、この樹脂シート裏面側から光を当てることにより、樹脂シート上に文字、数字を浮かび上がらせることができる。例えば、図８〜図１０において、数字は透明のままにして他の部分を銀色に印刷することにより、数字０、２０・・・・・１８０等が、光によって、計器板上に浮かび上がらせることができる。図８〜図１０に示した計器板は、自動車等に好適に使用できるスピードメータである。スピードメータの樹脂シートに、スピン紋様（図８）、ヘアライン紋様（図９）や木目紋様（図１０）を描いたものである。【００３０】
精細な装飾紋様は、さまざまなデザイン紋様がある。例えば、木目紋様、文字模様等の装飾紋様の他に例えば、スピン紋様、ヘアライン紋様の様な線画紋様がある。このようにして装飾紋様を形成した例えば、アルミニウム板等の金属板を用いて、樹脂シートにスピン紋様等の精細な装飾紋様を転写、形成する。図２又は図３に基づいて、精細な装飾紋様を有する樹脂シートの製造方法を以下説明する。図２は、例としてスピン紋様を紫外線硬化樹脂層に形成させる場合の装置の例を示している。図３に、この装置の断面を示した。表面に精細な装飾紋様を形成した例えば、アルミニウム板等の金属板４を、機械加工台６に固定し、そのアルミニウム板等の金属板４の表面に、三次元硬化塗料３を斑なく塗布する。この三次元硬化塗料３の上に透明な樹脂シート２を配置する。この三次元硬化塗料は、金属板に接着せず、樹脂シートに接着する硬化塗料を選定する。装飾紋様を付した金属板４、硬化塗料３及び透明樹脂シート２を重ね合わせて、平均に一定の圧力をかける。そして、一定の圧力をかけた状態で、透明樹脂シート２の上面より、励起線例えば、紫外線ランプ１で紫外線を照射する。紫外線を照射することにより、硬化塗料は、硬化する。硬化した樹脂に、アルミニウム板に機械加工で形成した装飾紋様が写し取られる。硬化塗料が硬化したら、アルミニウム板より、樹脂シートを剥離する。前述したように、硬化塗料は、金属板には接着せず、樹脂シートに接着して、樹脂シート上に精細な装飾紋様が形成されることになる。この硬化塗料は、ハードコートの機能を合わせ持ち、キズ防止が出来る特徴を持つ。透明樹脂シートとして、アクリルシート、ポリカーボネートシート、ポリエステルシート、ポリスチレンシート等を使用することができる。金属板としては、アルミニウム板、銅板、ステンレススチール板、鉄板等の金属板が使用できることは、既に述べたとおりである。【００３１】
三次元硬化塗料は、紫外線や放射線の照射で硬化するもの、熱で硬化するものを適宜使用することができる。なかでも、紫外線硬化塗料が好適に使用することができる。三次元硬化塗料としては、オリゴマー、ポリマー、モノマーや多官能性モノマーを混合した無溶媒型のものがよい。エポキシ樹脂、ポリウレタン等の重付加、付加重合等の反応により生成する重合体が使用できる。【００３２】
本発明に使用する紫外線硬化塗料としては、無溶媒型のもので、紫外線により三次元硬化する塗料を使用することができる。特に、適度のポットライフを有し、かつ、硬化時間の短い紫外線硬化型の塗料で無溶媒型のものが好ましい。具体的には、分子中に２個以上のアクリロイル基やメタクリロイル基を有するモノマーやオリゴマーで、ペンタエリスリトールテトラアクリレート、ジペンタエリスリトールヘキサアクリレート、グリセロールトリアクリレート、ブタンジオールジアクリレート、ビスフェノールＡジアクリレート等のポリオールアクリレート、ウレタンアクリレートオリゴマー、エポキシアクリレートオリゴマー、エステルアクリレートオリゴマー等の反応性オリゴマー、シクロヘキシルアクリレート、フルフリルアクリレート、２−エチルヘキシルアクリレート、２−ヒドロキシ（メタ）アクリレート、２−ヒドロキシプロピル（メタ）アクリレート、１，３−ブタンジオール（メタ）アクリレート、１，６−ヘキサンジオールジ（メタ）アクリレート、ネオペンチルグリコールジ（メタ）アクリレート、ヒドロキシビバリン酸エステルネオペンチルグリコールジ（メタ）アクリレート、イソボニル（メタ）アクリレート、Ｎ−ビニルピロリドン、フェノキシヘキサエチレングリコール（メタ）アクリレート等のモノマー及びベンゾイン、ベンゾインメチルエーテル、ベンゾインイソブチルエーテル、２．２−ジメトキシ−２フェニルアセトフェノン、メチル−ｏ−ベンゾイルベンゾエート、ｐ−イソプロピルフェニル−２−ヒドロキシ−２−プロピルケトン、ベンゾフェノン、アセトフェノン等の光重合開始剤からなるものが挙げられる。【００３３】
市販の表面硬化用の紫外線硬化塗料の内、無溶媒型のものが好適に使用できる。このような塗料は、装飾紋様を形成したアルミニウム板、銅板、ステンレススチール板、鉄板等の金属板にフローコート、ロールコート、捌け塗り等の方法で塗布し、この上にポリカーボネートシート、アクリルシート、ポリエステルシート、ポリスチレンシート等の透明な樹脂シートを置き、圧着する。このようにして、紫外線硬化塗料を金属板と透明樹脂シートの間に、均一厚みになるように押し広げた後、紫外線を照射して、硬化する。紫外線照射は、樹脂シートの側より行う。硬化が完了したら、金属板より樹脂シートを剥離する。このようにして、精細な装飾紋様を有する樹脂シートを得ることができる。
【実施例】
【００３４】
［車両用計器板］
スピン紋様を付した車両用計器板の実施例について説明する（図８に相当）。アルミニウム板としてアルミニウム板Ａ１０５０Ｈ／１．０ｔ厚みを使用し、このアルミニウム板に、車両用計器板の所定寸法にスピン模様を機械的に施した。この際、スピン紋様の同心円の溝の線幅は０．２ｍｍ以下、深さ５μｍ以下になるようにした。特に溝の深さは、三次元硬化樹脂に対する転写に重要な影響を与える。溝の深さが５μｍを超えるようになった場合は、転写加工時に気泡発生の問題が生じ好ましくない。前述した図２、図３の装置を用いて、スピン紋様を付した樹脂シートを作成する。まず、スピン模様を施したアルミニウム板上に、紫外線硬化塗料を斑なく塗布した。ここでは、紫外線硬化塗料は（株）セイコーアドバンス製のウレタンアクリレート系を主剤としたＵＶＡ９１１７を使用した。斑なく塗布した紫外線硬化塗料の上に、厚み０．４ｍｍの透明ポリカーボネート樹脂シートを配置した。スピン紋様を付したアルミニウム板、紫外線硬化塗料及び透明ポリカーボネート樹脂シートを重ねて、５Ｋｇの荷重で平均的に圧力をかけ、透明ポリカーボネート樹脂シート側より、コンベアー式空冷ＵＶ乾燥機２灯型を使用し、紫外線を照射した。照射条件は、コンベアー速度４ｍ／ｍｉｎ、出力１２０Ｗ、積算光量６００ｍＪ／ｃｍ２であった。硬化後、アルミニウム板を、樹脂シートから剥離した。このようにして、アルミニウム板の装飾紋様を紫外線硬化樹脂層に転写した、精細な装飾紋様（スピン紋様）を有する樹脂シートを得た。転写された紋様は、紫外線硬化樹脂層に形成され、その紫外線硬化樹脂層はポリカーボネート樹脂シートに接着しているので、結果として、ポリカーボネート樹脂シートと三次元硬化樹脂層からなる樹脂シートにスピン模様が形成される。【００３５】
次に、スピン紋様が転写された樹脂シートの透明ポリカーボネート樹脂シートの裏面（三次元硬化樹脂が積層されていない面）に、意匠文字等が透明になるように、シルク印刷を施した。ここでは、意匠文字以外は鏡面になるように、鏡面インキを使用し、シルク印刷を施した。鏡面インキは（株）セイコーアドバンス製５００ＶＳＰ鏡面インキを使用した。シルク印刷において、シルク版メッシュ＃２８０を使用し、熱風乾燥炉を使用して、４５℃３０分乾燥した。出来上がった意匠文字を透明印刷した樹脂シートのスピン紋様を、紋様が付与された面より観察すると、意匠文字は透明であり、意匠文字以外はアルミニウム金属調のスピン模様が認められた。また、透明部の意匠文字部分に透明色の色をシルク印刷することにより、バックライト色を選択することができる。ここでは、鏡面インキを選択したが、色調については、シルク印刷で可能な色を使用することが出来ることは言うまでもない。【００３６】
シルク印刷の代わりに、金属蒸着の手法を適用することができる。スピン模様が形成された樹脂シートの透明ポリカーボネート樹脂シートの裏面に金属蒸着を施すことにより、スピン模様が形成されたチタン色調、ステンレス色調等の外観を有する樹脂シートが得られる。この場合は、意匠文字等を金属蒸着により透明にすることは困難であるので、金属蒸着後に意匠文字等の部分にレーザ光を当てて、意匠文字等の部分の金属蒸着膜を除去することにより、意匠文字等を透明にすることができる。【００３７】
［携帯電話機］
携帯電話機の表示板周辺に使用した例を図１４に示した。車両用計器板用と同様にして得たヘアライン紋様を付した樹脂シートを、携帯電話機の表示面の周囲に使用した。この際、シルク印刷により銀色又は黒色に着色したヘアライン紋様を付した樹脂シートとした。これらの装飾紋様を有する樹脂シートは、比較的厚みのある所謂樹脂板の状態で、機器の筐体自身を形成することもできるし、前もって別の樹脂シート（板）で筐体を形成しておいて、その上に装飾紋様を有する樹脂シートを貼りつけてもよい。【００３８】
［エアコン・電話機］
同様にして、電気・電子機器等の筐体用の装飾紋様を形成した樹脂シートを製造することができる。図１５にはエアコンに使用した例、図１６には電話機に使用した例を示す。これらは、同様に、比較的厚みのある装飾紋様を有する樹脂シート（板）で、機器の筐体自身を形成することもできるし、前もって別の樹脂シート（板）で筐体を形成しておいて、その上に装飾紋様を有する樹脂シートを貼りつけてもよい。【００３９】
［携帯電話機のボタン表示板］
同様にして、スピン紋様を形成した樹脂シートを使用した携帯電話のボタン表示板を製造することができる。図１７は、携帯電話のボタン表示板にスピン紋様を施した例を示した。スピン紋様が転写された樹脂シートのポリカーボネート板の裏側に、意匠文字等が透明になるように、シルク印刷を施した。ここでは、意匠文字以外は鏡面になるように、鏡面インキを使用し、シルク印刷を施した。
【産業上の利用可能性】
【００４０】
本発明は、樹脂シート表面に精細な装飾紋様を形成することができるものである。精細な紋様を形成した樹脂シートは、各種計器板、表示板、特に自動二輪車、自動車、電気・電子機器等に搭載される計器板、表示板に、また、電気・電子機器の筐体、時計の表示板、広告看板等に広く利用できるものである。これらの精細な装飾紋様を有する樹脂シートは、傷が付きにくく、軽量で割れにくいという特徴も合わせ持つものであり、産業の広い分野で利用できるものである。
【図面の簡単な説明】
【００４１】
【図１】装飾紋様を有する樹脂シートの構成の例を示す図である
【図２】装飾紋様を有する樹脂シートを製造するための装置の一例を示す図である
【図３】図２における断面を示す図である
【図４】装飾紋様の例を示す図である（スピン紋様）
【図５】装飾紋様の他の例を示す図である（ヘアライン紋様）
【図６】装飾紋様の他の例を示す図である（文字紋様）
【図７】装飾紋様の他の例を示す図である（木目模様）
【図８】本発明を自動車計器板に使用した例を示す図である
【図９】本発明を自動車計器板に使用した他の例を示す図である
【図１０】本発明を自動車計器板に使用した他の例を示す図である
【図１１】多角形における各辺を直線で描いた線画紋様の例を示す図である
【図１２】多角形における各辺を外向き円弧で描いた線画紋様の例を示す図である
【図１３】多角形における各辺を内向き円弧で描いた線画紋様の例を示す図である
【図１４】本発明を携帯電話機の表示板周辺に使用した例を示す図である
【図１５】本発明をエアコンの筐体に使用した例を示す図である
【図１６】本発明を電話機の筐体に使用した例を示す図である
【図１７】本発明を携帯電話機のボタン表示板に使用した例を示す図である
【図１８】本発明をロゴマークに使用した例を示す図である
【符号の説明】
【００４２】
１              紫外線ランプ
２              透明樹脂シート
３              三次元硬化樹脂層
４              装飾紋様を付した金属板
５              クランプ
６              台
７              紋様
１１            自動車計器板の文字
１３            装飾紋様を形成した計器板
【図１】
0004543046.tif 000002
【図２】
0004543046.tif 000003
【図３】
0004543046.tif 000004
【図４】
0004543046.tif 000005
【図５】
0004543046.tif 000006
【図６】
0004543046.tif 000007
【図７】
0004543046.tif 000008
【図８】
0004543046.tif 000009
【図９】
0004543046.tif 000010
【図１０】
0004543046.tif 000011
【図１１】
0004543046.tif 000012
【図１２】
0004543046.tif 000013
【図１３】
0004543046.tif 000014
【図１４】
0004543046.tif 000015
【図１５】
0004543046.tif 000016
【図１６】
0004543046.tif 000017
【図１７】
0004543046.tif 000018
【図１８】
0004543046.tif 000019